【手続補正書】
【提出日】平成24年12月14日(2012.12.14)
【手続補正１】
【補正対象書類名】明細書
【補正対象項目名】００６１
【補正方法】変更
【補正の内容】
【００６１】
図１４は分類ユニット４０２〜４０６の詳細な構成例である。分類ユニット４０２〜４０６には、分光分類係数設定部４２１からの重み係数が入力され、入力された重み係数は、図１４の重み係数格納メモリ７０２に格納される。分光データ格納メモリ４０１に格納されているデジタル分光データと、重み係数格納メモリ７０２に格納されている重み係数が、乗算器７０３＿１〜７０３＿Ｎ（ここでＮは６０）において乗算され、重み付分光データが積算器７０４にて積算されることで、色信号が生成される。
【手続補正２】
【補正対象書類名】明細書
【補正対象項目名】００７４
【補正方法】変更
【補正の内容】
【００７４】
まずラスタスキャンのサンプリング位置の画素値をＲ（ｘ，ｙ）と２次元らせんスキャンのサンプリング位置の画素値をＳ（ｕ，ｖ）とする。ここでｘ及びｕは水平方向の座標、ｙ及びｖは垂直方向の座標であり、２つの座標間のスケールは表示倍率に合わせた状態とする。そしてラスタスキャンのサンプリング位置(ｘ，ｙ)を囲み、且つ距離が近い３つの２次元らせんスキャンのサンプリング位置(ｕ１，ｖ１)、（ｕ２，ｖ２）、（ｕ３，ｖ３）を検索する。前記３つのサンプリング位置(ｕ１，ｖ１)、（ｕ２，ｖ２）、（ｕ３，ｖ３）と前記(ｘ，ｙ)との距離Ｄ１，Ｄ２，Ｄ３を算出し、以下の式（１）に基づきＲ（ｘ，ｙ）を算出する。
【手続補正３】
【補正対象書類名】特許請求の範囲
【補正対象項目名】全文
【補正方法】変更
【補正の内容】
【特許請求の範囲】
【請求項１】
光源からの光をスポット状に被検体に対して照射し、スポット状に照射された光であるスポット光を走査しながら、その反射光を検出する光走査型光学装置に搭載される光制御装置であって、
白色光光源からの白色光の波長帯域のうち特定の波長帯域内の光量を増加させる光量増加部と、
前記特定の波長帯域の光量が増加された白色光である特定波長帯域増強白色光を、前記被検体に照射する光照射部と、
前記特定波長帯域増強白色光の照射による、前記被検体からの反射光を検出する光検出部と、
を含むことを特徴とする光制御装置。
【請求項２】
請求項１において、
前記光量増加部は、
前記白色光光源からの前記白色光の波長帯域のうち前記特定の波長帯域内の光量を増加させることで、前記特定波長帯域増強白色光を取得することを特徴とする光制御装置。
【請求項３】
請求項２において、
前記光量増加部は、
前記白色光光源から第１の白色光と第２の白色光とを取得し、前記第１の白色光から前記特定の波長帯域を有する光を取得し、取得した前記特定の波長帯域を有する光と前記第２の白色光とを合成することで、前記特定波長帯域増強白色光を取得することを特徴とする光制御装置。
【請求項４】
請求項３において、
前記白色光光源として、
第１の白色光光源と第２の白色光光源が設けられ、
前記光量増加部は、
前記第１の白色光光源から前記第１の白色光を取得し、前記第２の白色光光源から前記第２の白色光を取得することを特徴とする光制御装置。
【請求項５】
請求項３において、
前記白色光光源として、
単一白色光光源が設けられ、
前記光量増加部は、
前記単一白色光光源から前記第１の白色光と前記第２の白色光を取得することを特徴とする光制御装置。
【請求項６】
請求項３において、
前記光量増加部は、
前記特定の波長帯域を透過するフィルタを用いて、前記特定の波長帯域を有する光を取得することを特徴とする光制御装置。
【請求項７】
請求項６において、
前記フィルタとして、
第１〜第Ｎ（Ｎは２以上の整数）のフィルタが設けられ、
前記光量増加部は、
前記第１〜第Ｎのフィルタのうちの第ｉ（１≦ｉ≦Ｎ）のフィルタを用いて、前記特定の波長帯域を有する光として、第ｉの特定の波長帯域を有する光を取得することを特徴とする光制御装置。
【請求項８】
請求項１において、
前記光量増加部は、
波長帯域全体にわたって光量が増加された白色光について前記特定の波長帯域以外である残りの波長帯域の光量を減少させることで、前記特定波長帯域増強白色光を取得することを特徴とする光制御装置。
【請求項９】
請求項８において、
前記光量増加部は、
前記白色光の波長帯域のうち前記残りの波長帯域を減衰させるフィルタを用いることで、前記残りの波長帯域の光量を減少させることを特徴とする光制御装置。
【請求項１０】
請求項９において、
前記フィルタとして、
第１〜第Ｍ（Ｍは２以上の整数）のフィルタが設けられ、
前記光量増加部は、
前記第１〜第Ｍのフィルタのうち、前記残りの波長帯域を減衰させる第ｊ（１≦ｊ≦Ｍ）のフィルタを用いて、前記特定波長帯域増強白色光として、第ｊの特定波長帯域増強白色光を取得することを特徴とする光制御装置。
【請求項１１】
請求項１において、
前記特定の波長帯域は、前記白色光の波長帯域よりも狭い帯域であることを特徴とする光制御装置。
【請求項１２】
請求項１において、
前記特定の波長帯域は、血液中のヘモグロビンに吸収される波長の波長帯域であることを特徴とする光制御装置。
【請求項１３】
請求項１２において、
前記特定の波長帯域は、３９０ナノメータ〜４４５ナノメータ、または５３０ナノメータ〜５５０ナノメータであることを特徴とする光制御装置。
【請求項１４】
請求項１において、
前記特定の波長帯域は、赤外光の波長帯域であることを特徴とする光制御装置。
【請求項１５】
請求項１４において、
前記特定の波長帯域は、７９０ナノメータ〜８２０ナノメータ、または９０５ナノメータ〜９７０ナノメータの波長帯域であることを特徴とする光制御装置。
【請求項１６】
請求項１において、
前記光走査型光学装置は、光走査型内視鏡装置であることを特徴とする光制御装置。
【請求項１７】
請求項１乃至１６のいずれかの光制御装置である光制御部と、
前記光制御部で取得した光信号に基づいて、白色光に対応する第１の画像と、前記特定の波長帯域に対応する第２の画像を生成し、前記第１の画像と前記第２の画像から出力画像を生成する画像処理部と、
を含むことを特徴とする制御装置。
【請求項１８】
請求項１７において、
前記画像処理部は、
前記検出された反射光に含まれる光信号を、その光信号が有する波長に応じて、複数の種類のグループに分類する分類部と、
前記分類部により分類されたグループに属する光信号に基づいて、前記被検体の画像を生成する画像生成部と、
を含むことを特徴とする制御装置。
【請求項１９】
請求項１８において、
前記分類部は、
少なくとも、前記白色光の波長帯域を有する光信号を含む第１のグループと、前記特定の波長帯域を有する特殊光の光信号を含む第２のグループとに分類することを特徴とする制御装置。
【請求項２０】
請求項１９において、
前記光検出部は、
分光器を用いて分光スペクトルを取得し、
前記分類部は、取得した前記分光スペクトルに基づいて、前記第１のグループと、前記第２のグループとに分類することを特徴とする制御装置。
【請求項２１】
請求項１９において、
前記画像生成部は、
前記第１のグループに属する光信号に基づいて、前記白色光の波長帯域における情報を含む前記第１の画像を生成し、前記第２のグループに属する光信号に基づいて、前記特殊光の波長帯域における情報を含む前記第２の画像を生成することを特徴とする制御装置。
【請求項２２】
請求項２１において、
前記第１のグループは、前記白色光の波長帯域を構成する第１〜第Ｐ（Ｐは２以上の整数）の波長帯域を有する光信号を含み、
前記画像生成部は、
前記第１〜第Ｐの波長帯域を有する光信号に基づいて、前記第１の画像を構成する第１〜第Ｐの構成画像を生成することを特徴とする制御装置。
【請求項２３】
請求項２２において、
前記第１〜第Ｐの波長帯域を有する光信号は、Ｒ色の光信号、Ｇ色の光信号およびＢ色の光信号であることを特徴とする制御装置。
【請求項２４】
請求項２１において、
前記第２のグループは、前記特定の波長帯域を構成する第１〜第Ｑ（Ｑは１以上の整数）の波長帯域を有する光信号を含み、
前記画像生成部は、
前記第１〜第Ｑの波長帯域を有する光信号に基づいて、前記第２の画像を構成する第１〜第Ｑの構成画像を生成することを特徴とする制御装置。
【請求項２５】
請求項１９において、
前記光照射部は、
前記スポット光を前記被検体にらせん状に照射し、
前記画像生成部は、
前記スポット光の位置情報を取得するスキャン変換部を含み、
前記スキャン変換部は、
分類された前記第１のグループに対応する第１の画像信号の配置態様を、前記スポット光の位置情報に基づいて、ラスタスキャン形式に変換する第１補間処理部と、
分類された前記第２のグループに対応する第２の画像信号の配置態様を、前記スポット光の位置情報に基づいて、ラスタスキャン形式に変換する第２補間処理部と、
を含み、
前記画像生成部は、
ラスタスキャン形式に変換された前記第１の画像信号に基づいて前記第１の画像を生成し、ラスタスキャン形式に変換された前記第２の画像信号に基づいて前記第２の画像を生成することを特徴とする制御装置。
【請求項２６】
請求項１に記載の光制御装置の前記光照射部により照射された前記白色光を通過させ、前記被検体からの反射光を前記光検出部に返すことを特徴とする光学スコープ。
【請求項２７】
光源からの光をスポット状に被検体に対して照射し、スポット状に照射された光であるスポット光を走査しながら、その反射光を検出する光走査型光学装置であって、
白色光光源からの白色光の波長帯域のうち特定の波長帯域内の光量を増加させる光量増加部と、
前記特定の波長帯域の光量が増加された白色光である特定波長帯域増強白色光を、前記被検体に照射する光照射部と、
前記特定波長帯域増強白色光の照射による、前記被検体からの反射光を検出する光検出部と、
を含むことを特徴とする光走査型光学装置。
【請求項２８】
請求項２７において、
検出された前記反射光に含まれる光信号を、その光信号が有する波長に応じて、複数の種類のグループに分類する分類部を含むことを特徴とする光走査型光学装置。
【請求項２９】
請求項１９において、
前記分類部は、
前記光信号を所定の重み係数で加重加算するグループ選択部を有することを特徴とする光走査型光学装置。